(57)【要約】【課題】  一枚の基板から仕切板で仕切られた中仕切りの一つを拡大して、仕切板内に入れる商品の大きさを変えると共に、その仕切板の詰合状態を強固にした。【解決手段】  一枚の基板の略中央にある大切欠から直交する、少なくとも三箇所の仕切板を外折目とその両側に内折目を設け、前記仕切板の前記大切欠側に設けた突出片を、前記仕切板の少なくとも一つを基板の底板に折り畳んで前記内折目に設けた切目に差し込むことにより、仕切板内に収納する商品の大きさに応じたスペースを確保することを可能にした包装用箱の中仕切り。【選択図】図２
2011098737.tif 000002
【特許請求の範囲】
【請求項１】
大切欠を設けた一枚の基板から組み立てられる包装用箱の中仕切りであって、
前記基板には、
前記大切欠の周囲に前記大切欠から基板外端に至る外折目を設け、かつ各外折目の両側に均等な面積を確保する前記大切欠から基板外端に至る内折目をそれぞれ設け、しかも前記外折目と内折目間の大切欠側に対向する突出する突出片を設けると共に、前記突出片の突出方向と交差する側の内折目の一部に該突出片を差し込む切目を設けることにより、前記外折目を外方に前記内折目を内方に折り曲げて二重の仕切板を少なくとも三箇所形成し、前記三箇所の仕切板のうち交差する側の仕切板を前記基板上に折り重ねる際に前記突出片を前記切目に差し込むことで二個の品物の収納場所を一個にして収納面積を拡大することを特徴とする包装箱用の中仕切り。
【請求項２】
前記切目を、突出片の突出方向と交差する側の二つの仕切板にある内折目に各設けることにより、前記仕切板を左右いずれへも基板上に折り重ねて前記突出片を前記各内折目の一つに差し込むようにした請求項１に記載の包装箱用の中仕切り。
【請求項３】
前記二重の仕切板を四箇所にして、中央部に十字形の仕切板を形成するものであって、前記四箇所の仕切板のうち直線上に対向する二箇所の仕切板の突出片を、前記二重に重ねた仕切板の片方ずつに形成すると共に、前記直線状に対向する仕切板に交差して対向する二箇の仕切板の突出片が、前記高さの突出片とは高さを変えることで重複しないようにし、しかも、前記高さを変えた対向する二箇ずつの仕切板の突出片を、外折目の両側にある仕切板内に差し込み形成することを特徴とする請求項１又は２に記載の包装箱用の中仕切り。
【請求項４】
前記大切欠穴の周囲にある四箇所の二重の仕切板のうちの一つを中仕切板の共通部分とし、その共通部分に連続して左右同一の基板を形成することにより、全ての外折目と内折目を折り曲げた六個の仕切板を折り曲げた二重の仕切板にし、各六個の仕切板が一以上選択して前記基板上に折り重ねると共に、それぞれの仕切板にある突出片を交差する内折目の一部に設けた切目に差し込むようにしたことを特徴とする請求項３に記載の包装箱用の中仕切り。
【請求項５】
前記請求項１乃至４の中仕切りを入れる周壁と底部を有する容器本体とそれに蓋を覆せるようにした箱であって、
前記箱の側壁が紙製等の可撓性材料の中空二重構造からなり、前記中仕切りの各外端を前記箱の側壁に圧接することにより、箱からの反力によって前記各仕切板が当接する中仕切りの中心部を開かないよう圧接状態を維持するようにしたことを特徴とする包装用箱。
【発明の詳細な説明】
【技術分野】
【０００１】
本発明は、菓子など贈り物等に用いる箱の中仕切りとその中仕切りを用いた包装用箱に関する。
【背景技術】
【０００２】
型抜きされた一枚の基板から複数の菓子や薬品等の商品を入れる中仕切りを形成した包装用箱として、例えば下記のような先行技術が存在した。
【先行技術文献】
【特許文献】
【０００３】
【特許文献１】実公昭６０−４８８５号公報
【特許文献２】実公昭６０−３７２８８号公報
【特許文献３】実公昭６３−３３７９１号公報
【特許文献４】実公平０４−３００９１号公報
【特許文献５】実用新案登録第３０１３８９４号公報
【０００４】
しかしながら、これらは一枚の基板、あるいは基板と複数の紙片を用いて多数の中仕切りを形成したものであるが、いずれも中仕切りに入れる商品の大きさを一定にしたことを前提とし、一個の中仕切りにより大きさの異なる商品に応じて中仕切りの大きさを形成するものではなかった。
【発明の概要】
【発明が解決しようとする課題】
【０００５】
そこで、本発明の目的は、中仕切りの基本に立ち返り、一枚の基板から複数個の中仕切りを作り、その中仕切りから大きさが異なる中仕切りを形成することができるようにしたことにある。本発明の他の目的として、中仕切り用の仕切板を直線方向と、仕切板が倒れる方向とに、それぞれ補強形態を施すと共に、その形態を維持できるようにした。
【課題を解決するための手段】
【０００６】
本発明は、上記課題を解決したものであり、その要旨として、大切欠を設けた一枚の基板から組み立てられる包装用箱の中仕切りであって、前記基板には、大切欠の周囲に前記大切欠から基板外端に至る外折目を設け、かつ各外折目の両側に均等な面積を確保する前記大切欠から基板外端に至る内折目をそれぞれ設け、しかも前記外折目と内折目間の大切欠側に対向する突出する突出片を設けると共に、前記突出片の突出方向と交差する側の内折目の一部に該突出片を差し込む切目を設けることにより、前記外折目を外方に前記内折目を内方に折り曲げて二重の仕切板を少なくとも三箇所形成し、前記三箇所の仕切板のうち交差する側の仕切板を前記基板上に折り重ねる際に前記突出片を前記切目に差し込むことで二個の品物の収納場所を一個にして収納面積を拡大することを特徴とする包装箱用の中仕切りを提供する。
【０００７】
本発明の他の形態として、前記切目を、突出片の突出方向と交差する側の二つの仕切板にある内折目に各設けることにより、前記仕切板を左右いずれへも基板上に折り重ねて前記突出片を前記各内折目の一つに差し込むようにした請求項１に記載の包装箱用の中仕切りにある。
【０００８】
本発明のその他の形態として、前記二重の仕切板を四箇所にして、中央部に十字形の仕切板を形成するものであって、前記四箇所の仕切板のうち直線上に対向する二箇所の仕切板の突出片を、前記二重に重ねた仕切板の片方ずつに形成すると共に、前記直線状に対向する仕切板に交差して対向する二箇の仕切板の突出片が、前記高さの突出片とは高さを変えることで重複しないようにし、しかも、前記高さを変えた対向する二箇ずつの仕切板の突出片を、外折目の両側にある仕切板内に差し込み形成することもある。
【０００９】
本発明の別の形態として、前記大切欠穴の周囲にある四箇所の二重の仕切板のうちの一つを中仕切板の共通部分とし、その共通部分に連続して左右同一の基板を形成することにより、全ての外折目と内折目を折り曲げた六個の仕切板を折り曲げた二重の仕切板にし、各六個の仕切板が一以上選択して前記基板上に折り重ねると共に、それぞれの仕切板にある突出片を交差する内折目の一部に設けた切目に差し込むようにしたことがある。
【００１０】
本発明のさらに別の形態として、前記の中仕切りを入れる周壁と底部を有する容器本体とそれに蓋を覆せるようにした箱であって、
前記箱の側壁が紙製等の可撓性材料の中空二重構造からなり、前記中仕切りの各外端を前記箱の側壁に圧接することにより、箱からの反力によって前記各仕切板が当接する中仕切りの中心部を開かないよう圧接状態を維持するようにしたことがある。
【発明の効果】
【００１１】
本発明の中仕切りは、一枚の基板に外折目と内折目を折り曲げて立てた仕切板を大切欠から直角に少なくとも三方に立設し、しかも三方の仕切板の中で短手方向に直交する側の仕切板を基板のうちの底板となる箇所に折り重ね、その際に折り重ねた仕切板の前記大切欠側に設けた突出片を前記立てた状態の仕切板の最下位置に設けた切目に差し込むことで、前記三方の仕切板により二箇所仕切られて各所に品物を収納するようにしたものを、一箇所の広い場所でも品物を収納することができる。
【００１２】
また、前記仕切板に設けた突出片を、これと交差する側の二つの仕切板の内折目上の折目のどちら側にも差し込むことができるので、上記仕切板を切目の存否で左右どちらへも確認することなく折り重ねることができる。
【００１３】
さらに、前記仕切板を四方から十字形の仕切板にし、各直線上に対向する二箇所の突出片を、各二重にした仕切板の対向する反対側に大切欠穴方向へ突出片を設けると共に、前記直線上に対向する二箇所の突出片とは直角に交差する二重の仕切板にも前記二箇所の突出片とは重複しないように高さを変えて突出片を設け、前記対向する二箇所の突出片同士を二重の仕切板内に差し込み成形することで、直線上に対向する仕切板だけでなく、それと直線状に交差する仕切板にも互いの突出片で拘束して強固な仕切板の構造とする。
【００１４】
別に、前記大切欠穴から十字形四方の仕切板により四箇所の収納部を設けたものの他に、前記大切欠穴を二つの大切欠穴とし、その間に設けた二重の仕切板とその両側の底板となる基板の一部を共通にして、その両側に前記三方の二重の仕切板と底板を設けて全部で六箇所の品物の収納部を設けることもできる。
【００１５】
上記は、各形態の中仕切りの構造であるが、これらには各形態を収納するに合致した周壁と底部を有する容器本体とそれに覆せる蓋があり、しかもその容器の側壁の中空二重構造にすることで、前記各仕切板がその二重構造の側壁に圧接することにより、箱の側壁からの反力によって、前記相対する仕切板に差し込まれた突出片を容易に抜け出ることがないようにしている。
【図面の簡単な説明】
【００１６】
【図１】本発明の最小単位として大切欠を中心とする三方の仕切板を作成する平面図である。
【図２】図１の組み立て説明図である。
【図３】図２で仕切り板を仕上げた状態の斜視図である。
【図４】図３の三方にある仕切板の状態から、短手方向にある仕切板の突出片を長手方向の一方にある折目に差し入れて基板上に折り重ねて品物収納部を拡大した状態の説明図である。
【図５】前記した大切欠からの三方の仕切板に対し、大切欠部を中心に四方の仕切板を作成する平面図である。
【図６】図５の組み立て説明図である。
【図７】二つの大切欠穴間の基板を共通にする六方の仕切板を作成する平面図である。
【図８】図７の組み立て説明図である。
【図９】一枚の基板からなる容器本体の展開図である。
【図１０】図９の展開図を蓋としての組み立て説明図である。
【図１１】本発明の一実施態様である六箇所の品物の収納部を設けた中仕切りを、容器本体に収納して蓋を覆せるようにした斜視図である。
【発明を実施するための形態】
【００１７】
本発明の中仕切りは、三箇所に仕切板で二つの品物収容箇所を備えたものを最小単位とし、それからは四箇所、七箇所、九箇所・・・の仕切板の数により、それぞれ、四個、六個、八個・・・の品物を収納できるようにしたものである。
また、本発明の中仕切りは容器本体２０の中に入れ、それに蓋３０を覆せて商品として使用できる。
【００１８】
図１は、基板１０の略中央に大切欠１を設け、その三周辺に中央に外方に折り曲がる直線状の外折目２，３，４を前記大切欠１から基板１０の外端に至って設けている。各外折目２，３，４の両側には、同一面積となるように内方に折り曲げられる直線状の内折目５，６，７，８と端線９，９’を設け、前記外折目の左右に仕切板１１，１１’，１２，１２’、及び１３，１３’が設けられている。そして、仕切板１２の外折目に沿った大切欠１側に突出片１４を、また仕切板１３’の外折目４に沿った大切欠１側に突出片１５を、さらに仕切板１１の外折目２と内折目５の間の大切欠１側に、前記外折目２，３，４と内折目５，６，７，８を折り曲げた際に前記突出片１４と１５に重ならない位置に突出片１６を設ける。さらに、前記内折目７と８上には、前記仕切板１１，１１’を左右いずれかに折り重ねて基板１０側に折り重ねた際に、前記突出片１６が折り重ねた仕切板１２，１２’か１３，１３’の内折目７，８の位置に切目１７，１８を設ける。
【００１９】
つぎに、前記構成からなる基板１０から中仕切りの組み立て方の一実施例を説明する。
前記図１の基板１０で、外折り目２，３，４と内折目５，６，７，８を、それぞれ外方と内方に折り曲げ、つぎに折り曲げられて二重になった仕切板は図上矢印の方向に移行して（図２）、相対向位置にある突出片１４，１５は直線上に対向する折り重ねた仕切板１２，１２’と１３，１３’の中に組み込む（図３）。
この状態で、後述する図１１の容器本体２０の１／３の大きさに収納される。
つぎに、仕切板１１，１１’を基板１０’側に折り曲げて突出片１６を折目１７内に挿入することで、二つに仕切られていた商品収納部を一つに広げることができる。ここで、前記仕切板１１，１１’は、上記とは反対側に折り曲げて、突出片１６を折目１８に挿入することもできる。
【００２０】
さらに、本発明の別の実施例として、中仕切りを以下に説明する。
図５は、前記した基板１０にある大切欠１の周囲に中仕切りが三個あるのに対し、大切欠部１’の周囲に中仕切りが四個あり、したがって前記端線９，９’が折目９’’，９’’’となって、基盤１０−１と１０−２を連結し、前記大切欠部１’を介して外折目２と内折目５，６の反対側に外折目１９と内折目２１，２２を設け、さらに仕切板１２，１２’が左右の基板１０’，１０−１に折り重ねられて、突出片１４が内折目５，２１上にある折目２３，２４中のいずれかに差し込まれるようにする。そして、同様に突出片１５も内折目６，２２上の折目２５，２６に差し込まれるようにし、さらに突出片２７も内折目９’’，９’’’上にある折目２８，２９に差し込まれるようにしている。なお、３１，３２は外折目１９と内折目２１，２２間にある仕切板である。
【００２１】
さらに、図７、図８により、さらに別の中仕切りの実施例を説明する。
この図７と図８は、前記図５の実施例の端線３３を内折目３３’とし、前記仕切板３１，３２と基板１０−１，１０−２を共通とする、左右同一のものである。
すなわち、大切欠穴１’に対して大切欠穴１’’を設け、これを中心に直角に交差して外折目３４，３５，３６及び内折目３７，３８，３９，４０を設けて、その間に仕切板５０，５０’，５１，５１’，５２，５２’を形成する。また、その中の仕切板３１，５１’，５０’，５２に、それぞれ相対向する突出片４２と５３が同じ高さの折り曲げ反対側の仕切板に、突出片４１と４３が前記突出片４２，５３と重ならない高さに相対向した仕切板５１’，５２にそれぞれ設ける。さらに、仕切板３１，３２を基板１０−１，１０−２上に折り重ねて、突出片４１を切目４４か４５に差し込み、同様に突出片４２を切目２４か４８に、そして突出片４３を切目４６，４７に、さらに突出片５３を切目２６，４９に差し込み可能にしている。
【００２２】
図８は、前記した図６と同じように組み立てるものであり、外折目１９を中心に仕切板３１，３２と基板１０−１，１０−２を共通にして、左右同一の中仕切り構造であり、その組み立て方法は前記した図６と同様なものである。
【００２３】
図９と図１０は、本発明に用いる容器本体２０の平面図と組み立て説明図である。
前記中仕切りと同様に、一枚の柔軟な厚紙からなる容器本体２０は、点線で示す６７〜７０と、斜めの６３〜６６が外折目で、残りの７５〜８２が内折目で、これらに囲まれた箇所が、外折り目７９と８０，７７と７８，８１と８２，及び７５と７６間を幅とする二重の側壁５６，５７，５８，５９から構成されている。
【００２４】
上記容器本体の組み立て方としては、まず、実線で示す、内折目７１〜７４と、内折目７５〜８２、及び内折目８７〜９０、及び内折目８７〜９０を内側に折るとともに、点線で示す、外折目６７〜７０と外折目６３〜６６を外側に折り曲げる。
これら全てを内と外に折り曲げて、図１０のようにして、組み立てる。まず、舌片５９〜６２は、これら舌片を設けていない、前記した二重の側壁５６と５８内に収めてから底片８５と８６を底板５４上に重ね、ついで、舌片を設けた側の二重の側壁５７と５５を二重にして底片８３と８４を底板５４に重ねることにより、この底片８３と８４は前記底片８５と８６上に重なり、しかも前記側壁５６，５８内に舌片５９〜６２が差し込まれることから、容器本体２０は糊や接着剤を使用しなくとも、折り畳みの形態が固定して決められる。
なお、図１１は、図８の中仕切り１０−Ｂを容器本体２０内に隙間なく収納され、これに蓋３０が被せられる。
【産業上の利用可能性】
【００２５】
本発明は、菓子など高級商品に用いる包装用箱とその中仕切りを、一枚の平坦な基板で搬送し、使用時には糊など接着剤を用いずに組み立てることを可能にしたものである。
【符号の説明】
【００２６】
１０，１０−Ａ，１０−Ｂ  中仕切り板
１  大切欠
１’，１’’  大切欠穴
２，３，４，１９，３４，３５，３６  外折目
５〜８，９’’，９’’’，２４，２６，３３’，３３’’，３７〜４０  内折目
１１〜１３，１１’〜１３’，５０〜５２，５０’〜５２’  仕切板
１４〜１６，２７，４１〜４３，５３  突出片
１７，１８，２３〜２６，２８，２９，４４〜４９  切目
２０  容器本体
３０  蓋
【図１】
2011098737.tif 000003
【図２】
2011098737.tif 000004
【図３】
2011098737.tif 000005
【図４】
2011098737.tif 000006
【図５】
2011098737.tif 000007
【図６】
2011098737.tif 000008
【図７】
2011098737.tif 000009
【図８】
2011098737.tif 000010
【図９】
2011098737.tif 000011
【図１０】
2011098737.tif 000012
【図１１】
2011098737.tif 000013